(57)【特許請求の範囲】
【請求項１】
ループ状の枠の中心部にローラを差し渡してヘッド部を形成し、
このヘッド部にＬＥＤの照射板を開閉自在に取り付け、
この照射板を閉じるとＬＥＤの発光面がヘッド部の正面に移動してＬＥＤによるフォトケアの専用トリートメントを可能にし、
この照射板を開くとＬＥＤの発光面がローラの背面に移動してＬＥＤによるフォトケアとローラによるフェイスマッサージの併用トリートメントを可能にしたことを特徴とする美顔器。
【請求項２】
前記ローラを電極にして生体電流の電源に接続してなることを特徴とする請求項１記載の美顔器。
【請求項３】
前記生体電流がＥＭＳ電流であることを特徴とする請求項２記載の美顔器。
【請求項４】
前記生体電流がイオン導入／導出電流であることを特徴とする請求項２記載の美顔器。
【請求項５】
前記ＬＥＤの出力波長域が３５０〜１０００ｎｍであることを特徴とする請求項１記載の美顔器。
【発明の詳細な説明】
【技術分野】
【０００１】
本発明は、ＬＥＤによるフォトケアとローラによるフェイスマッサージの併用トリートメントを可能にした美顔器に関する。
【背景技術】
【０００２】
ローラによるフェイスマッサージは、ローラを回転させて皮膚をマッサージすることで血流を促進し、皮膚の新陳代謝を活発にする効果がある。また、顔の中心からリンパに向けてローラを動かすことで老廃物を除去する効果もある。
【０００３】
また、ローラを電極にして電流の強さ、周波数、パルス幅、刺激時間の長さなどを制御したＥＭＳ電流を皮膚に流すと、生体電流と同じように筋肉や運動神経を刺激して筋肉を収縮させるので、実際に運動したのと同じように余分な脂肪を燃焼して筋肉を引き締め、タルミをなくして張りのある美しい肌を蘇らせる相乗効果がある。また、血液やリンパ液の流れをスムーズにして顔のムクミを取り去る効果もある。
【０００４】
また、ローラをマイナスの電極にして皮膚に当て、プラスの電極を手に持って直流型、パルス型、交流型などのイオン導入電流を流すと、ビタミンＣやアミノ酸などの水溶性の有効成分をマイナスイオン化し、マイナスとマイナスの反発力で外部から異物が入るのを防ぐ皮膚のバリアゾーンを突き抜けて皮膚の奥まで浸透させる相乗効果がある。
また、ローラをプラスの電極にして皮膚に当て、マイナスの電極を手に持って直流型、パルス型、交流型などのイオン導出（イオンクレンジング）電流を流すと、通常の洗顔やクレンジングでは落とせない毛穴の汚れなどマイナスの汚れを吸着する相乗効果がある。
【０００５】
一方、ＬＥＤによるフォトケアは、紫外線や赤外線を含まない可視光を皮膚に照射することで次のような効果がある。
まず、表皮に吸収される波長の光が作用して新陳代謝を整え、老廃物やメラニンの排泄を促す。
次に、表皮の基底層や真皮の乳頭層に吸収される波長の光が作用してメラニンの生成を抑制し、細胞分裂を促す。
さらに、真皮の網状層まで届く波長の光が作用して繊維芽細胞を活性化し、コラーゲン（膠原繊維）やエラスチン（弾力繊維）の生成を促す。
【０００６】
しかしながらＬＥＤによるフォトケアは、即効性に乏しく、効果を発揮するまでに長期にわたるトリートメントを必要とするが、実際にはひたすらＬＥＤ光を浴びるだけで皮膚に目だった変化もなく、ローラによるフェイスマッサージのような心地よい刺激もない。
そのため興味が沸かず、根気が続かないのでトリートメントを長期間続けるのが困難になる。
【発明の開示】
【発明が解決しようとする課題】
【０００７】
解決しようとする問題点は以上のような点であり、本発明は、ＬＥＤによるフォトケアとローラによるフェイスマッサージの併用トリートメントが可能な美顔器を提供することを目的になされたものである。
【課題を解決するための手段】
【０００８】
そのため本発明は、ループ状の枠の中心部にローラを差し渡してヘッド部を形成し、このヘッド部にＬＥＤの照射板を開閉自在に取り付け、この照射板を閉じるとＬＥＤの発光面がヘッド部の正面に移動してＬＥＤによるフォトケアの専用トリートメントを可能にし、この照射板を開くとＬＥＤの発光面がローラの背面に移動してＬＥＤによるフォトケアとローラによるフェイスマッサージの併用トリートメントを可能にしたことを最も主要な特徴とする。
【発明の効果】
【０００９】
本発明は、ヘッド部に取り付けた照射板を開くとＬＥＤの発光面がローラの背面に移動し、ローラを通してＬＥＤ光が前方に照射されるので、簡単な構造でＬＥＤによるフォトケアとローラによるフェイスマッサージの併用トリートメントが可能になる。
そのためマッサージしながらフォトケアできるので皮膚に心地よい刺激があり、血行もよくなって肌の色も変化するのでトリートメントへの興味が沸き、長期間継続して行えるようになる。
また、ＬＥＤによるフォトケアとローラによるフェイスマッサージが１つの器具に集約されるので、これらの器具を個別に揃えるより経済的であり、携帯にも便利で保管も容易になる。そのため旅先や移動中など、時間や場所を選ばずこまめにトリートメントできるようになる。
【発明を実施するための最良の形態】
【００１０】
以下、本発明の実施の形態について説明する。
【００１１】
図１〜２に、本発明を実施した美顔器の斜視図と背面図を示す。
美顔器は、ヘッド部１とその支持体であるグリップ部２で構成し、ヘッド部１の上端に可動式アーム３を介してＬＥＤの照射板４を開閉自在に取り付け、グリップ部２の背面にパネル面５とグリップ電極６を装着する。
可動式アーム３は、両端に２連式の蝶番３１、３２を設けてヘッド部１と照射板４を連結する。
ヘッド部１は、中心部が素通しのループ状の枠体１１で形成し、枠体１１内に横方向に配置した上下一対のローラ型電極１２を回転可能に差し渡す。
ローラ型電極１２は、前方の周面を枠体１１の前面より突出させて差し渡す。
ローラ型電極１２とグリップ電極６は、アルミ、ジュラルミン、ステンレス、銅などの金属で形成し、表面に樹脂クロムメッキなどの表面処理を施す。
あるいは、導電性のゴムやエンジニアリングプラスチックなどの樹脂で形成してもよい。
【００１２】
照射板４は、多数（例えば２０〜３０個）のＬＥＤ（不図示）を平面上に配列したＬＥＤの発光面４１を備え、それらを同時にオン・オフして広範囲を一度に照射する。
照射板４を開くと、図１に示すように、照射板４がヘッド部１の背面に移動し、上下一対のローラ型電極１２がヘッド部１の前面に露出する。このとき発光面４１がヘッド部１の裏面に接し、ＬＥＤ光が素通しのヘッド部１を通してヘッド部１の背後から前方に向けて照射される。
照射板４を閉じると、図３に示すように、照射板４がヘッド部１の前面に移動し、ヘッド部１全体を覆う。このとき発光面４１がヘッド部１の正面にきてＬＥＤ光がそこから前方に向けて照射される。
ＬＥＤは、波長域が３５０〜１０００ｎｍの光を発光し、パッケージの境界面で発生する全反射光を内部のミラーで再反射させて光利用効率を従来の２倍以上に高めた高輝度タイプのものを用いる。
【００１３】
パネル面５は、電源をオン／オフする電源スイッチ５１、照射板４のＬＥＤをオン／オフするフォトスイッチ５２、ＥＭＳ／イオン導入／イオンクレンジングのモードを切り替えるモードスイッチ５３、各モードのレベル（強・中・弱の３段階）を切り替えるアップ／ダウンスイッチ５４ａ、５４ｂ、選択されたモードとレベルを表示する３個のＬＥＤ５５を配置する。ＬＥＤ５５は、赤と緑のＬＥＤチップを１つのランプの中に入れ、それぞれ片方ずつ、若しくは両方同時に点灯して赤、緑、オレンジの３色を発光する。
【００１４】
最初に電源スイッチ５１を押すとモード選択待機状態になり、初期レベルは弱となる。
モード選択待機状態にて２分経過時点で自動的に電源がオフになる。
モード選択待機時にモードスイッチ５３を押すと、イオン導入→イオンクレンジング→ＥＭＳの順にモードが切り替わり、ＬＥＤ５５の発光色が緑→赤→オレンジの順に変化する。
モード選択後にアップスイッチ５４ａを押すと、弱→中→強の順にレベルが切り替わり、ＬＥＤ５５の点灯数が１→２→３の順に変化する。
ダウンスイッチ５４ｂを押すと、強→中、中→弱となるように現在より一段低いレベルに移行する。
モード選択待機時に電源スイッチ５１を押すと、電源がオフになる。
【００１５】
図４に、本発明を実施した美顔器の制御系のブロック図を示す。
制御系７は、パネル面５からの入力信号を監視する入力回路７１、ＬＥＤ５５の表示電力を出力する表示回路７２、ＣＰＵを内蔵して全体を制御するコントローラ７３、照射板４のＬＥＤの照射電力を出力するフォト照射回路７４、ローラ型電極１２にＥＭＳ電流を出力するＥＭＳ駆動回路７５、ローラ型電極１２とグリップ電極６にイオン導入／導出電流を出力するイオン導入／導出回路７６、ローラ型電極１２との接続をＥＭＳ駆動回路７５とイオン導入／導出回路７６の間で切り替える切替回路７７で構成する。
【００１６】
入力回路７１は、パネル面５の操作内容をコントローラ７３に通知する。
表示回路７２は、コントローラ７３の指令で３個のＬＥＤ５５の点灯と発光色に必要な表示電力を出力する。
コントローラ７３は、入力回路７１からの入力信号を解析してモードとレベルを決定し、表示回路７２、フォト照射回路７４、ＥＭＳ駆動回路７５、イオン導入／導出回路７６、切替回路７７にそれぞれ制御信号を送出する。
フォト照射回路７４は、点灯ＬＥＤ、印加電圧、パルス周波数の組み合わせを切り替えて照射するＬＥＤ光の波長、強さ、点滅時間を制御した照射電力を出力する。
ＥＭＳ駆動回路７５は、ローラ型電極１２の一方をプラス極、他方をマイナス極としてパルス周波数５０、２５ＨｚのＥＭＳ電流を出力する。
イオン導入／導出回路７６は、ローラ型電極１２をマイナス極、グリップ電極６をプラス極としてパルス周波数１．５ｋＨｚのイオン導入電流を出力する。
また、ローラ型電極１２をプラス極、グリップ電極６をマイナス極としてパルス周波数１．５ｋＨｚのイオン導出電流を出力する。
【００１７】
本発明を実施した美顔器は以上のような構成で、顔のタルミが気になる場合は、まず、照射板４を開いてヘッド部１の背面に移動し、ローラ型電極１２をヘッド部１の前面に露出させる。
次に、電源スイッチ５１を押して電源をオンにする。
次に、モードスイッチ５３を押してＥＭＳモードを選択する。
次に、アップ／ダウンスイッチ５４ａ、５４ｂを押してＥＭＳの強弱を選択する。
次に、フォトスイッチ５２を押して照射板４のＬＥＤを点灯する。
次に、顔にジェルまたは美容液を塗る。
次に、ローラ型電極１２を顔に押し当て、下から上へ引き上げるようにゆっくり移動させる。
以上によりＥＭＳによる顔のリフトアップとフォトケアによる肌細胞の新陳代謝およびコラーゲンの生成を促すトリートメントを行う。
【００１８】
肌のくすみや乾燥が気になる場合は、まず、照射板４を開いてヘッド部１の背面に移動し、ローラ型電極１２をヘッド部１の前面に露出させる。
次に、電源スイッチ５１を押して電源をオンにする。
次に、モードスイッチ５３を押してイオン導入モードを選択する。
次に、アップ／ダウンスイッチ５４ａ、５４ｂを押してイオン導入の強弱を選択する。
次に、フォトスイッチ５２を押して照射板４のＬＥＤを点灯する。
次に、顔に美容液を塗る。
次に、ローラ型電極１２を顔に押し当て、グリップ電極６を手に触れながらリンパに沿ってゆっくり移動させる。
以上によりイオン導入による美容液の浸透とフォトケアによる肌細胞の新陳代謝およびコラーゲンの生成を促すトリートメントを行う。
【００１９】
フェイスラインを引き締めたい場合は、まず、照射板４を開いてヘッド部１の背面に移動し、ローラ型電極１２をヘッド部１の前面に露出させる。
次に、電源スイッチ５１を押して電源をオンにし、照射板４のＬＥＤは消灯したままにする。
次に、モードスイッチ５３を押してＥＭＳモードを選択する。
次に、アップ／ダウンスイッチ５４ａ、５４ｂを押してＥＭＳの強弱を選択する。
次に、顔にジェルまたは美容液を塗る。
次に、ローラ型電極１２を顔に押し当て、下から上へ引き上げるようにゆっくり移動させる。
以上によりＥＭＳによる顔のリフトアップトリートメントを行う。
【００２０】
肌の乾燥が気になる場合は、まず、照射板４を開いてヘッド部１の背面に移動し、ローラ型電極１２をヘッド部１の前面に露出させる。
次に、電源スイッチ５１を押して電源をオンにし、照射板４のＬＥＤは消灯したままにする。
次に、モードスイッチ５３を押してイオン導入モードを選択する。
次に、アップ／ダウンスイッチ５４ａ、５４ｂを押してイオン導入の強弱を選択する。
次に、顔に美容液を塗る。
次に、ローラ型電極１２を顔に押し当て、グリップ電極６を手に触れながらリンパに沿ってゆっくり移動させる。
以上によりイオン導入による美容液の浸透を促すトリートメントを行う。
【００２１】
毛穴の汚れが気になる場合は、まず、照射板４を開いてヘッド部１の背面に移動し、ローラ型電極１２をヘッド部１の前面に露出させる。
次に、電源スイッチ５１を押して電源をオンにし、照射板４のＬＥＤは消灯したままにする。
次に、モードスイッチ５３を押してイオンクレンジングモードを選択する。
次に、アップ／ダウンスイッチ５４ａ、５４ｂを押してイオンクレンジングの強弱を選択する。
次に、顔にジェルまたは拭き取り化粧水を塗る。
次に、ローラ型電極１２を顔に押し当て、グリップ電極６を手に触れながら下から上へ引き上げるようにゆっくり移動させる。
以上によりイオンクレンジングによる毛穴の奥の汚れを浮き上がらせるトリートメントを行う。
クレンジング終了後、顔に残ったジェルをコットンで拭き取る。
【００２２】
目元や口元のシワや乾燥が気になる場合は、まず、照射板４を閉じて照射板４をヘッド部１の前面に移動させる。
次に、電源スイッチ５１を押して電源をオンにし、モード選択待機状態のままにする。
次に、フォトスイッチ５２を押して照射板４のＬＥＤを点灯する。
次に、顔に美容液を塗る。
次に、照射板４を顔に押し当て、下から上へ引き上げるようにゆっくり移動させる。
以上によりフォトケアによる肌細胞の新陳代謝およびコラーゲンの生成を促すトリートメントを行う。
【図面の簡単な説明】
【００２３】
【図１】本発明を実施した美顔器の斜視図である。
【図２】図１の背面図である。
【図３】図１の照射板を閉じた図である。
【図４】本発明を実施した美顔器の制御系のブロック図である。
【符号の説明】
【００２４】
１            ヘッド部
１１          枠体
１２          ローラ型電極
２            グリップ部
３            可動式アーム
３１、３２    蝶番
４            照射板
４１          発光面
５            パネル面
５１          電源スイッチ
５２          フォトスイッチ
５３          モードスイッチ
５４ａ、ｂ    アップ／ダウンスイッチ
５５          ＬＥＤ
６            グリップ電極
７            制御系
７１          入力回路
７２          表示回路
７３          コントローラ
７４          フォト照射回路
７５          ＥＭＳ駆動回路
７６          イオン導入／導出回路
７７          切替回路
【図１】
0005073441.tif 000002
【図２】
0005073441.tif 000003
【図３】
0005073441.tif 000004
【図４】
0005073441.tif 000005